(57)【要約】  【課題】  折れへの抵抗性を失う事態を有効に回避しつつ被描画体上に描画される線の太さを描画動作中細い線から太い線まで任意に変化させ得る棒状描画材を提供する。  【解決手段】  被描画体３１上に擦り付けられることで線を描画する描画部材１１と、透明色若しくは半透明色又は被描画体と略同一色を被描画体上に擦り付けられることで被描画体３１上に線を描画しないようにする非描画部材１２とからなり、長さ方向に棒状に形成された描画部材１１に対しその両側から挟み込むように添着された非描画部材１２が長さ方向の全体に亘って設けられることで描画部材１１が非描画部材１２により補強されているもので、描画部材１１が最も細い線の描画に係る最小外幅寸法位置から最も太い線の描画に係る最大外幅寸法位置に向けて徐々に外幅寸法が大きくなる横断面形状で長さ方向に延びる形状に形成された部分を有し、最小外幅寸法位置に係る長さ方向に延びる部分が外周部として露出している。【選択図】  図２
2008173334.tif 000002
【特許請求の範囲】
【請求項１】
被描画体上に擦り付けられることにより線を描画する描画部材と、透明色若しくは半透明色又は前記被描画体と略同一色を該被描画体上に擦り付けられることにより該被描画体上に線を描画しないようにする非描画部材とからなり、長さ方向に沿って棒状に形成された前記描画部材に対しその両側から挟み込むように添着された前記非描画部材が長さ方向の全体に亘って設けられることにより、当該描画部材が当該非描画部材によって補強されている棒状描画材であって、
前記描画部材が、最も細い線の描画に係る最小外幅寸法位置から最も太い線の描画に係る最大外幅寸法位置に向けて徐々に外幅寸法が大きくなる横断面形状で長さ方向に沿って延びる形状に形成された部分を有していることを特徴とする棒状描画材。
【請求項２】
前記最小外幅寸法位置に係る長さ方向に延びる部分及び前記最大外幅寸法位置に係る長さ方向に延びる部分の少なくともいずれか一方が、外周部として露出していることを特徴とする請求項１に記載の棒状描画材。
【発明の詳細な説明】
【技術分野】
【０００１】
本発明は、例えばまゆずみ等の化粧品、クレヨン等の筆記具などに用いられる棒状描画材に関する。
【背景技術】
【０００２】
従来の棒状描画材としては、例えば長さ方向に沿って線状に形成され、被描画体上に擦り付けられることにより線を描画する描画部材と、透明色若しくは半透明色又は被描画体と略同一色を被描画体上に擦り付けることにより被描画体上に線を描画しないようにする非描画部材とからなり、描画部材が非描画部材により長さ方向の全体に亘って横方向から抱きかかえるようにして補強されたものが開示されている（例えば、特許文献１参照）。
【特許文献１】特開２００５−２７１４１３号公報
【発明の開示】
【発明が解決しようとする課題】
【０００３】
ところで、近年、より専門的で技巧的な描画による表現を適宜簡単に得たいという消費者ニーズにより、従来の棒状描画材に対しては、一つの棒状描画材によって細い線のみならず太い線をも描画することができ、しかも、被描画体上に描画される線の太さを細い線から太い線までの間で描画動作中意図的に変化させることができる機能が更に付加されることが要請されている。
ここで、従来の棒状描画材によれば、描画部材について折れに対する抵抗性を失う事態を有効に回避しながら所望の芯径まで細径化を図るものであることから、例えば細い線を描画するための描画部材及び太い線を描画するための描画部材を混在させることにより、細い線のみならず太い線をも描画し得るものとすることが可能である。
【０００４】
しかし、従来の棒状描画材にあっては、描画部材が長さ方向に沿って線状に形成された線状部分からなるものであることから、あらかじめ用意された線状部分に対応した太さの線を描画することができるに過ぎないものである。
【０００５】
そこで、本発明の課題は、より専門的で技巧的な描画による表現が適宜簡単に得られるように、折れに対する抵抗性を失う事態を有効に回避しながら被描画体上に描画される線の太さを描画動作中細い線から太い線までの間で任意に変化させることができる棒状描画材を提供することにある。
【課題を解決するための手段】
【０００６】
上記課題を解決するため、本発明に係る棒状描画材は、被描画体上に擦り付けられることにより線を描画する描画部材と、透明色若しくは半透明色又は被描画体と略同一色を被描画体上に擦り付けられることにより被描画体上に線を描画しないようにする非描画部材とからなり、長さ方向に沿って棒状に形成された描画部材に対しその両側から挟み込むように添着された非描画部材が長さ方向の全体に亘って設けられることにより、描画部材が非描画部材によって補強されている棒状描画材であって、描画部材が、最も細い線の描画に係る最小外幅寸法位置から最も太い線の描画に係る最大外幅寸法位置に向けて徐々に外幅寸法が大きくなる横断面形状で長さ方向に沿って延びる形状に形成された部分を有しており、最小外幅寸法位置に係る長さ方向に延びる部分が、外周部として露出していることを特徴としている。
【０００７】
このような棒状描画材によれば、最小外幅寸法位置から最大外幅寸法位置に向けて徐々に外幅寸法が大きくなる横断面形状に形成され、かつ、長さ方向に延びる描画部材に係る部分であって非描画部材によって補強されたものを備えるので、折れに対する抵抗性を失う事態を有効に回避しながら被描画体上に描画される線の太さを描画動作中細い線から太い線までの間で任意に変化させることが可能となる。
【０００８】
したがって、これによれば、より専門的で技巧的な描画による表現が適宜簡単に得られることが可能となる。
【０００９】
このような技術的手段において、使用者が描画動作開始時に最小外幅寸法位置に係る長さ方向に延びる部分等の周方向における配置を確認し得るようにして、使用性の向上ひいては的確な描画の確保を図るという観点からすれば、最小外幅寸法位置に係る長さ方向に延びる部分及び最大外幅寸法位置に係る長さ方向に延びる部分の少なくともいずれか一方が、外周部として露出していることが好ましい。
【発明の効果】
【００１０】
本発明に係る棒状描画材によれば、折れに対する抵抗性を失う事態を有効に回避しながら被描画体上に描画される線の太さを描画動作中細い線から太い線までの間で意図的に変化させることができ、より専門的で技巧的な描画による表現が適宜簡単に得られることとなる。
【発明を実施するための最良の形態】
【００１１】
以下、添付図面に基づいて本発明の実施の形態を詳細に説明する。
【００１２】
図１は本発明の一実施の形態に係る棒状まゆずみの使用状態を示す斜視図、図２は同棒状まゆずみの全体構成を示す斜視図、図３は同棒状まゆずみの部分構成を示す横断面図、図４は同棒状まゆずみの最小外幅寸法位置に係る外観構成を示す側面図、図５は同棒状まゆずみの最大外幅寸法位置に係る外観構成を示す側面図である。
【００１３】
なお、これらの図において、符号１は、棒状描画材たる棒状まゆずみ、符号１１は、描画部材、符号１２は、非描画部材、符号３１は、被描画体たる皮膚表面、符号３２は、棒状化粧料繰出容器、を示している。
【００１４】
本実施の形態において、棒状まゆずみ１は、図２及び図３に示すように、通常のまゆずみと同様、横断面視で略円形形状を有するものであって外観が円柱形状に形成されたものとして構成されている。
【００１５】
そして、この棒状まゆずみ１は、図１に示すように、中空筒状の専用容器としての棒状化粧料繰出容器３２内の固定手段に装着された状態で適宜繰り出され使用されるものとして構成されており、被描画体たる皮膚表面３１上に擦り付けられることにより線で眉を描画する役割を果たす。
【００１６】
具体的には、この棒状まゆずみ１は、描画部材１１と、非描画部材１２とを備えたものとして構成されている。
【００１７】
以下、これらの各構成要素についてさらに詳細に説明する。
【００１８】
（１）描画部材１１
描画部材１１は、通常の棒状まゆずみと同様、被描画体たる皮膚表面３１上に擦り付けられることにより線によって眉を描画する役割を果たすものとして構成されている。
【００１９】
描画部材１１は、図２に示すように、長さ方向に沿って延びる棒状に形成されたものとして構成されている（図４及び図５参照）。
【００２０】
ここで、描画部材１１は、図２に示すように、その外周面に対しその両側から挟み込むように添着される一対の非描画部材１２が長さ方向の全体に亘って設けられることにより、非描画部材１２によって補強されたものとして構成されている（図４及び図５参照）。
【００２１】
このように、描画部材１１に、両側から挟み込むように一対の非描画部材１２が添着されることで非描画部材１２によって補強されたものであることを要求するのは、非描画部材１２の間に所定の横断面形状であって長さ方向に沿って延びる棒形状を有する描画部材１１に係る部分を挟み込むことにより、折れに対する抵抗性を失う事態を有効に回避しながら皮膚表面３１上に線により描画される眉の太さを描画動作中細い線から太い線までの間で任意に変化させることが可能な棒状まゆずみ１とするためである。
【００２２】
したがって、このような役割を果たすものであれば、本発明においては、二つに分割された非描画部材１２が両側から挟み込むように添着された描画部材１１の代わりに、一つの非描画部材が横方向から抱きかかえるように添着された描画部材その他の両側から挟み込むように非描画部材が添着された描画部材を用いても差し支えない。
【００２３】
また、描画部材１１に、一対の非描画部材１２が長さ方向の全体に亘って設けられることで非描画部材１２によって補強されたものであることを要求するのは、非描画部材１２によって補強されていない部分が長さ方向の全体に亘って出来ないようにすることにより、折れに対する抵抗性を失う事態を確実に回避し得る棒状まゆずみ１とするためである。したがって、このような役割を果たすものであれば、本発明においては、長さ方向の全体に亘って二つに分割された非描画部材１２が両側から挟み込む描画部材１１の代わりに、ある区間では二つに分割された非描画部材が両側から挟み込む描画部材を用い、余りの区間では一つの非描画部材が横方向から抱きかかえる描画部材を用いることが可能である。
【００２４】
そして、本実施の形態における描画部材１１は、図２及び図３に示すように、最も細い線の描画に係る最小外幅寸法位置から最も太い線の描画に係る最大外幅寸法位置に向けて徐々に外幅寸法が大きくなる横断面形状であって長さ方向に沿って延びる棒形状を有するものとして構成されている。
【００２５】
具体的には、描画部材１１は、図３に示すように、その横断面形状が略二等辺三角形形状ないし略台形形状に形成されたものとして構成されている。
【００２６】
このように、描画部材１１に、所定の横断面形状であって長さ方向に沿って延びる棒形状を有するものであることを要求するのは、略二等辺三角形形状ないし略台形形状である横断面形状であって長さ方向に沿って延びる棒形状に形成された描画部材１１に係る部分を非描画部材１２によって挟み込んで補強することにより、皮膚表面３１上に線により描画される眉の太さを描画動作中細い線から太い線までの間で任意に変化させることが可能な棒状まゆずみ１とするためである。したがって、このような役割を果たすものであれば、本発明において全体が所定の横断面形状であって棒形状に形成された描画部材１１の代わりに、所定の横断面形状であって棒形状に形成された部分を有する描画部材１１その他の描画部材１１を用いてもよい。
【００２７】
本実施の形態における棒状まゆずみ１は、図４及び図５に示すように、最小外幅寸法位置に係る長さ方向に延びる部分及び最大外幅寸法位置に係る長さ方向に延びる部分の双方が、外周部として露出しているものとして構成されている（図２及び図３参照）。
【００２８】
このような棒状まゆずみ１により、使用者が、描画動作開始時に最小外幅寸法位置に係る長さ方向に延びる部分及び最大外幅寸法位置に係る長さ方向に延びる部分の周方向における配置を目視によって容易に確認することが可能となっており、その結果、使用性の向上及び的確な描画を担保することが可能となっている。
【００２９】
したがって、このような役割を果たすものであれば、本発明においては、最小外幅寸法位置に係る長さ方向に延びる部分及び最大外幅寸法位置に係る長さ方向に延びる部分の双方が外周部として露出している棒状まゆずみ１の代わりに、いずれか一方のみ、すなわち、最小外幅寸法位置に係る長さ方向に延びる部分又は最大外幅寸法位置に係る長さ方向に延びる部分だけが外周部として露出している棒状まゆずみを用いてもよい。
【００３０】
（２）非描画部材１２
非描画部材１２は、透明色を皮膚表面３１上に擦り付けることにより皮膚表面３１上に眉を描画しないようにする役割を果たすものとして構成されている。
【００３１】
ここで、非描画部材１２に、透明色を皮膚表面３１上に擦り付けるものであることを要求するのは、皮膚表面３１上に眉を描画し得る描画部材１１ではなく、透明色を描画し得る非描画部材１２を擦り付けることにより、その部分については、透明色のみが擦り付けられるようにして、眉を描画しないようにするためである。したがって、このような役割を果たすものであれば、本発明において透明色を擦り付ける非描画部材１２の代わりに、半透明色や皮膚表面３１と略同一色を擦り付ける非描画部材を用いることが可能である。また、このような役割を果たすものであれば、本発明においては、描画部材と非描画部材とで摩擦速度が著しく異なるような特別の場合を除くほか、描画部材１１と略同じ硬さを有する非描画部材１２の代わりに、描画部材と異なる硬さを有する非描画部材を用いてもよい。
【００３２】
非描画部材１２は、図２及び図３に示すように、一対の非描画部材１２であって、描画部材１１の外周面に対しその両側から挟み込むように添着され、かつ、長さ方向の全体に亘って設けられたものとして構成されている。
【００３３】
すなわち、非描画部材１２は、描画部材１１を補強する役割を果たすものとして構成されている。
【００３４】
このような非描画部材１２により、所定の硬さを有しないような、つまり、実質的に描画部材１１を補強する目的を達成することができないような非描画部材１２を排除することが可能となっており、その結果、折れに対する抵抗性を失う事態を確実に回避し得る棒状まゆずみ１を実現させることが可能となっている。
【００３５】
本実施の形態において、非描画部材１２は、描画部材１１により線で描画された皮膚表面３１上の眉をなぞることによってぼかすことを可能とする硬度を有している。
【００３６】
このような非描画部材１２により、皮膚表面３１上に線で眉を描画するのみならず、皮膚表面３１上に線で描画した眉をぼかすこともが可能となっており、その結果、より専門的で技巧的な描画による表現がより効果的に得られるようになっている。しかも、線で眉を描画する動作と線で描画した眉をぼかす動作とを同時に行うことが可能となっており、より専門的で技巧的な描画による表現がより短時間に得られるようになっている。
【００３７】
なお、非描画部材１２の硬度は、描画部材１１の硬度、皮膚表面３１の硬さその他の条件を勘案して適宜選定することが可能である。また、ここにいう皮膚表面３１上の眉をなぞることは、使用者が通常行う描画と同等の強さで皮膚表面３１上の眉をなぞることを意味する。
【００３８】
ところで、このような棒状まゆずみ１の製造方法としては、特別な方法を採用することを要求されない。
【００３９】
すなわち、通常用いられる棒状まゆずみの製造方法を適宜選定して組み合わせても差し支えない。すなわち、ワックス類・油分を加温・溶解した後、顔料を含む粉体を加えて混合し、ローラ処理法や押し出し成形法を行うことによって、棒状まゆずみ１を製造することが可能である。例えば押し出し成形法は次のようにして行われる。先ず、描画部材用の材料及び非描画部材用の材料を別々に仕込み、それぞれを別々の押出機によって押し出し成形し、これにより、円筒状（例えば65φの円筒状）に形成されたそれぞれの一次成形品を得る。次に、これらの一次成形品をピアノ線を用いてそれぞれの形状にカットし、続いて、カットしたもの同士を所望の位置関係に組み合わせる。そして、組み合わされた一次成形品を再び押出機によって押し出し成形し、これにより、外観が所望の円柱形状に形成された最終製品たる二次成形品が得られることになる。
【００４０】
ここで、ワックス類として、硬化ヒマシ油、固形パラフィン、カルナウバロウ、キャンデリラロウ、ミツロウ、セレシン、コメヌカロウ、合成炭化水素ワックス、ワセリン、ラノリン及びラノリン誘導体等を使用することが可能である。また、油分として、流動パラフィン、スクワラン、ミリスチン酸オクチルドデシル、オレイルアルコール、オクチルドデカノール、２−エチルヘキサン酸セチル、トリ−２−エチルヘキサン酸グリセリル、トリオクタン酸トリメチロールプロパン、ステアリン酸イソセチル、オリーブ油、メチルポリシロキサン、メチルフェニルポリシロキサン及びデカメチルシロクロペンタシロキサン等を使用することができる。さらに顔料として、マイカ、タルク、セリサイト、無水ケイ酸、硫酸バリウム、合成樹脂系パウダー、有機顔料、無機顔料、パール顔料、カルミン等の天然色素等を使用することが可能である。これらの成分は、それぞれ一種又は二種以上を選択して配合することができる。
【００４１】
また、これらの成分の他にも、防腐剤、界面活性剤、酸化防止剤、増粘剤、美白剤、皮膚保護剤、皮膚軟化剤、皮膚緩和剤、抗炎症剤、角質保護剤などを使用目的に関わる適宜添加することが可能である。
【００４２】
なお、このようにして製造した棒状まゆずみ１は、例えば芯形の溝を有する木部の一方に装着して、もう一方の対になる木部をその上に圧着することによって鉛筆状に加工することができる。
【００４３】
上記したように、本実施の形態における棒状まゆずみ１によれば、最小外幅寸法位置から最大外幅寸法位置に向けて徐々に外幅寸法が大きくなる横断面形状に形成され、かつ、長さ方向に延びる描画部材１１に係る部分であって非描画部材１２によって補強されたものを有しているので、皮膚表面３１上に描画される線の太さを描画動作中細い線から太い線までの間で任意に変化させることが可能となっており、その結果、より専門的で技巧的な描画による表現が適宜簡単に得られるようになっている。
【００４４】
以上、本実施の形態においては、化粧品としての棒状まゆずみ１について説明したが、本発明は、このような実施の形態に限られるものではない。例えばアイライナーペンシル、リップライナーペンシル、コンシーラーペンシル等の芯に適用してもよいし、棒状口紅、リップクリーム、アイシャドウ等に適用してもよい。また、化粧品に限定されず、クレヨンや色鉛筆の芯等の筆記具その他の物品に広く適用可能である。
【図面の簡単な説明】
【００４５】
【図１】本発明の一実施の形態に係る棒状まゆずみの使用状態を示す斜視図である。
【図２】同棒状まゆずみの全体構成を示す斜視図である。
【図３】同棒状まゆずみの部分構成を示す横断面図である。
【図４】同棒状まゆずみの最小外幅寸法位置に係る外観構成を示す側面図である。
【図５】同棒状まゆずみの最大外幅寸法位置に係る外観構成を示す側面図である。
【符号の説明】
【００４６】
１ 棒状まゆずみ
１１ 描画部材
１２ 非描画部材
３１ 皮膚表面
３２ 棒状化粧料繰出容器
【図１】
2008173334.tif 000003
【図２】
2008173334.tif 000004
【図３】
2008173334.tif 000005
【図４】
2008173334.tif 000006
【図５】
2008173334.tif 000007